(57)【特許請求の範囲】
【請求項１】
情報記録領域を備えた円盤状の磁気記録媒体と、
上記磁気記録媒体に記録磁界を印加して上記磁気記録媒体の周方向に延びる記録列を形成することで情報の記録を行う磁気記録素子と、
上記磁気記録媒体からの漏洩磁界を検出して情報の再生を行う磁気再生素子と、
上記磁気記録媒体と上記磁気記録素子及び上記磁気再生素子との相対位置を上記磁気記録媒体の上記周方向及び半径方向に移動させる移動機構と、
上記情報記録領域において、上記半径方向に関して互いに隣接する前記記録列が上記半径方向に部分的に重複するように前記磁気記録素子及び前記移動機構を制御する磁気記録素子制御手段とを備えており、
上記磁気記録素子制御手段は、
上記記録列のそれぞれに、互いに隣接する上記記録列のいずれかと上記半径方向に部分的に重複する重複部が形成され、他のいずれの上記記録列とも上記半径方向に重複しない非重複部が形成されない第１記録と、
上記記録列のそれぞれに、互いに隣接する上記記録列のいずれかと上記半径方向に部分的に重複する重複部と、他のいずれの上記記録列とも上記半径方向に重複しない非重複部とが形成される第２記録とが選択的に行われるように、制御することを特徴とする磁気記録再生装置。
【請求項２】
上記磁気記録素子制御手段は、
第ｎ番目（ｎ：自然数）の記録列の内周側及び外周側の半径位置をそれぞれＲ（ｎ）in及びＲ（ｎ）outとし、第ｎ番目の記録列に隣接する記録列をそれぞれ、第ｎ−１番目の記録列及び第ｎ＋１番目の記録列とすると、
前記第２記録において、
Ｒ（ｎ−１）in＜Ｒ（ｎ）in＜Ｒ（ｎ−１）out＜Ｒ（ｎ＋１）in＜Ｒ（ｎ）out＜Ｒ（ｎ＋１）out 
となるように制御することを特徴とする請求項１に記載の磁気記録再生装置。
【請求項３】
上記磁気再生素子の半径方向における幅をＷrとすると、（Ｒ（ｎ＋１）in−Ｒ（ｎ−１）out）＞Ｗr／２であることを特徴とする請求項２に記載の磁気記録再生装置。
【請求項４】
書き換え頻度に対する閾値を記憶する閾値記憶手段と、
上記閾値よりも書き換え頻度が高いコンテンツと、上記閾値よりも書き換え頻度が低いコンテンツとを識別するコンテンツ識別部とをさらに備え、
上記磁気記録素子制御手段は、
上記閾値よりも書き換え頻度が低いコンテンツが上記第１記録によって記録され、
上記閾値よりも書き換え頻度が高いコンテンツが上記第２記録によって記録されるように制御することを特徴とする請求項１〜３のいずれか１項に記載の磁気記録再生装置。
【請求項５】
コンテンツの持つ属性に基づいて、コンテンツが第１類及び第１類よりも書き換え頻度が高いことが想定される第２類のいずれかに属するかを識別するコンテンツ識別部をさらに備え、
上記磁気記録素子制御手段は、
第１類に属するコンテンツが上記第１記録によって記録され、
第２類に属するコンテンツが上記第２記録によって記録されるように制御することを特徴とする請求項１〜３のいずれか１項に記載の磁気記録再生装置。
【請求項６】
上記第１記録及び上記第２記録のいずれの記録方式によってコンテンツを記録するかを、ユーザに選択させるための入力手段をさらに備えており、
上記磁気記録素子制御手段は、上記入力手段を介してユーザに選択された記録方式で上記コンテンツの記録が行われるように制御することを特徴とする請求項１〜３のいずれかに記載の磁気記録再生装置。
【請求項７】
請求項１〜６のいずれかに記載の磁気記録再生装置に含まれる磁気記録媒体であって、
上記第１記録によって記録された第１の情報記録領域と、
上記第２記録によって記録された第２の情報記録領域と、
上記第１の情報記録領域に形成された、上記磁気再生素子にトラッキングを行わせるための第１のトラッキングパターンと
上記第２の情報記録領域に形成された、上記磁気再生素子にトラッキングを行わせるための第２のトラッキングパターンとを備えており、
上記第１のトラッキングパターン及び上記第２のトラッキングパターンはそれぞれ、上記第１の情報記録領域及び上記第２の情報記録領域のトラックピッチと同じピッチで形成されていることを特徴とする磁気記録媒体。
【請求項８】
周方向に延びる複数の記録列が形成された情報記録領域を備えた円盤状の磁気記録媒体であって、
上記記録列のそれぞれに、互いに隣接する上記記録列のいずれかと半径方向に部分的に重複する重複部が形成され、他のいずれの上記記録列とも上記半径方向に重複しない非重複部が形成されていない第１の情報記録領域と、
上記記録列のそれぞれに、互いに隣接する上記記録列のいずれかと半径方向に部分的に重複する重複部と、他のいずれの上記記録列とも上記半径方向に重複しない非重複部とが形成された第２の情報記録領域とを有していることを特徴とする磁気記録媒体。
【発明の詳細な説明】
【技術分野】
【０００１】
本発明は、Ｓｈｉｎｇｌｅ記録（瓦記録）方式のような高密度に情報を記録可能な磁気記録再生装置及び磁気記録媒体に関する。
【背景技術】
【０００２】
近年、画像又は映像の高画質化が進み、ユーザが扱う情報量は益々増加している。このため、ＨＤＤ（Hard Disk Drive）と呼ばれる磁気記録装置の大容量化に向けて、面記録密度の高密度化の検討が広く行われている。高密度磁気記録における有望な技術の一つとして、特許文献１で開示されているような、トラックの幅方向に隣接する直前に記録された記録列と部分的に重複するように記録を行うＳｈｉｎｇｌｅ記録（瓦記録）方式が挙げられる。
【０００３】
一般に、磁気記録媒体に形成されるトラックのピッチは、形成される最短マーク長より数倍程度大きくなる。しかしながら、Ｓｈｉｎｇｌｅ記録方式では、直前に記録された隣接する記録列が部分的に重複するように記録が行われるため、最終的に形成されるトラックのピッチを最短マーク長程度に小さくすることが可能となる。つまり、直前に記録された隣接する記録列の一部を上書きする形で記録が行われるため、単位長さ当たりのトラック数が数倍程度多くなり、記録密度の大幅な向上を図ることが可能である。
【先行技術文献】
【特許文献】
【０００４】
【特許文献１】特開２０１１−８８８１号公報（２０１１年１月１３日公開）
【発明の概要】
【発明が解決しようとする課題】
【０００５】
しかしながら、特許文献１の装置では、記録列を書き換える際に、当該記録列以降に形成された記録列を書き換える動作が必要となり、実質的記録レート（書き換えられた記録列の情報量／書き換えるべき記録列を書き換え且つそれ以外の記録列の情報を書き換えないままとするために要する時間）が低下してしまう虞がある。この点について、図９（ａ）〜図９（ｄ）を用いて説明する。
【０００６】
図９（ａ）は、磁気記録媒体においてトラックの幅方向（媒体の半径方向）に隣接する記録列同士が部分的に重複するように複数の記録列を形成した状態を示す図である。具体的には、各記録列が半径方向に隣接する２つ記録列のいずれかと半径方向の全範囲において互いに重なり合った重複部となっている。図９（ａ）〜図９（ｄ）では、最終的に得られる各トラック（再生時の各トラック）の境界線と各トラックの中心線とを、それぞれ点線と一点鎖線で示している。図９（ｂ）は、図９（ａ）のトラックＴｒ１０２を書き換えるために、トラックＴｒ１０２´を形成するための記録列を記録した後の状態を示す図である。
【０００７】
当初、トラックＴｒ１０１を形成するための記録列は、トラックＴｒ１０２を形成するための記録列よりも先に形成されていたため、トラックＴｒ１０１の情報は書き換えられずに残っている。一方、トラックＴｒ１０３においては、Ｔｒ１０２´を形成するための記録列によって上書きされてしまい、この状態で、トラックＴｒ１０３を再生しようとすると、再生エラーが発生する。このため、当初、トラックＴｒ１０２を形成するための記録列よりも後に形成されたトラックＴｒ１０３を形成するための記録列と同じ情報の内容で、トラックＴｒ１０３´を形成するための記録列を上書きしなければならない。図９（ｃ）に、トラックＴｒ１０３´を形成するための記録列を上書きした後の概略図を示す。同様にして、当初、トラックＴｒ１０２を形成するための記録列よりも後に形成されていた記録列は全て、順次上書きをしなければならない。図９（ｄ）に、当初、トラックＴｒ１０２を形成するための記録列よりも後に形成されていた記録列を全て上書きした後の概略図を示す。
【０００８】
このように、トラックＴｒ１０２だけを書き換えるには、トータルで、トラックＴｒ１０２´を形成するための記録列を形成する時間と、トラックＴｒ１０２を形成するための記録列よりも後に形成されていた記録列を全て上書きする時間が必要となり、従来の記録方法と比較して、実質的に、数倍程度の長い書き換え時間を要することになる。
【０００９】
本発明の目的は、書き換え時の実質的記録レートの低下を防止し、再生エラーが生じ難い磁気記録再生装置及び磁気記録媒体を提供することにある。
【課題を解決するための手段】
【００１０】
本発明に係る磁気記録再生装置は、情報記録領域を備えた円盤状の磁気記録媒体と、上記磁気記録媒体に記録磁界を印加して上記磁気記録媒体の周方向に延びる記録列を形成することで情報の記録を行う磁気記録素子と、上記磁気記録媒体からの漏洩磁界を検出して情報の再生を行う磁気再生素子と、上記磁気記録媒体と上記磁気記録素子及び上記磁気再生素子との相対位置を上記磁気記録媒体の上記周方向及び半径方向に移動させる移動機構と、上記情報記録領域において、上記半径方向に関して互いに隣接する前記記録列が上記半径方向に部分的に重複するように前記磁気記録素子及び前記移動機構を制御する磁気記録素子制御手段とを備えている。そして、上記磁気記録素子制御手段は、上記記録列のそれぞれに、互いに隣接する上記記録列のいずれかと上記半径方向に部分的に重複する重複部が形成され、他のいずれの上記記録列とも上記半径方向に重複しない非重複部が形成されない第１記録と、上記記録列のそれぞれに、互いに隣接する上記記録列のいずれかと上記半径方向に部分的に重複する重複部と、他のいずれの上記記録列とも上記半径方向に重複しない非重複部とが形成される第２記録とが選択的に行われるように、制御する。
【００１１】
本発明の磁気記録媒体は、周方向に延びる複数の記録列が形成された情報記録領域を備えた円盤状の磁気記録媒体であって、上記記録列のそれぞれに、互いに隣接する上記記録列のいずれかと半径方向に部分的に重複する重複部が形成され、他のいずれの上記記録列とも上記半径方向に重複しない非重複部が形成されていない第１の情報記録領域と、上記記録列のそれぞれに、互いに隣接する上記記録列のいずれかと半径方向に部分的に重複する重複部と、他のいずれの上記記録列とも上記半径方向に重複しない非重複部とが形成された第２の情報記録領域とを有している。
【００１２】
本発明に係る磁気記録再生装置では、磁気記録素子制御手段が第１記録と第２記録とを選択的に行わせることができるので、書き換え時の実質的記録レートは比較的低くなっても高い記録密度で記録したい情報を第１記録で記録し、比較的低い記録密度となっても、書き換え時の実質的記録レートを高くしたい情報を第２記録で記録することが可能となる。よって、１つの磁気記録再生装置において、第１記録及び第２記録を使い分けることで、記録密度と書き換え時の実質的記録レートとを両立させることが可能となる。
【００１３】
ここで、第２記録で記録された記録列には、他のいずれの記録列とも重複しない非重複部が存在する。非重複部に記録された情報は、他のいずれの記録列を書き換えても、書き換えられずに保持されるため、書き換えた記録列以外の記録列を上書きする必要がなくなる。このため、第１記録と比較した場合に、若干トラック密度及び記録密度が低くなるが、書き換え時の実質的記録レートを高くすることが可能となる。
【００１４】
一方で、第１記録で記録された記録列には、他のいずれの記録列とも重複しない非重複部が存在しない。このため、他のいずれかの記録列を書き換えた後に、第１記録で記録された情報が一切保持されないケースが想定される。したがって、書き換えた記録列以外の記録列を上書きする必要が生じる。このため、第２記録と比較した場合に、書き換え時の実質的記録レートを低くすることができるものの、トラック密度及び記録密度を上げることが可能となる。
【００１５】
以下の説明において、第１記録及び第２記録の「記録列」は、磁気記録素子が記録した磁気パターンの列そのものを意味しており、第１記録の「トラック」は隣接する記録列と重複した結果として最終的に情報が保持されている（１つの記録列のなかで他の記録列に被覆されていない）半径領域を意味している。一方、第２記録の「トラック」は非重複部を意味している。
【００１６】
上記磁気記録素子制御手段は、第ｎ番目（ｎ：自然数）の記録列の内周側及び外周側の半径位置をそれぞれＲ（ｎ）in及びＲ（ｎ）outとし、第ｎ番目の記録列に隣接する記録列をそれぞれ、第ｎ−１番目の記録列及び第ｎ＋１番目の記録列とすると、前記第２記録において、
Ｒ（ｎ−１）in＜Ｒ（ｎ）in＜Ｒ（ｎ−１）out＜Ｒ（ｎ＋１）in＜Ｒ（ｎ）out＜Ｒ（ｎ＋１）out 
となるように制御することが好ましい。
【００１７】
第２記録において、上記の式を満たすように制御することで、第２記録におけるトラック密度をより高くすることができる。
【００１８】
上記磁気再生素子の半径方向における幅をＷｒとすると、
（Ｒ（ｎ＋１）in−Ｒ（ｎ−１）out）＞Ｗr／２
であってよい。このようにすることで、磁気再生素子が再生すべきトラックに対してトラッキングされることで、磁気再生素子が検出する漏れ磁界の隣接トラックからのトラック間クロストーク等の成分は、再生を行うトラックよりも小さくなり、再生エラーが生じにくくなる。
【００１９】
本発明に係る磁気記録再生装置は、書き換え頻度に対する閾値を記憶する閾値記憶手段と、上記閾値よりも書き換え頻度が高いコンテンツと、上記閾値よりも書き換え頻度が低いコンテンツとを識別するコンテンツ識別部とをさらに備えていてよい。このとき、上記磁気記録素子制御手段は、上記閾値よりも書き換え頻度が低いコンテンツが上記第１記録によって記録され、上記閾値よりも書き換え頻度が高いコンテンツが上記第２記録によって記録されるように制御する。これによって、コンテンツの閾値に応じて、第１記録及び第２記録を自動的に使い分けることができる。
【００２０】
本発明に係る磁気記録再生装置は、コンテンツの持つ属性に基づいて、コンテンツが第１類及び第１類よりも書き換え頻度が高いことが想定される第２類のいずれかに属するかを識別するコンテンツ識別部をさらに備えていてよい。このとき、上記磁気記録素子制御手段は、第１類に属するコンテンツが上記第１記録によって記録され、第２類に属するコンテンツが上記第２記録によって記録されるように制御する。これによって、コンテンツの持つ属性に基づいて、第１記録及び第２記録を自動的に使い分けることができる。
【００２１】
本発明に係る磁気記録再生装置は、上記第１記録及び上記第２記録のいずれの記録方式によってコンテンツを記録するかを、ユーザに選択させるための入力手段をさらに備えていてよい。このとき、上記磁気記録素子制御手段は、上記入力手段を介してユーザに選択された記録方式で上記コンテンツの記録が行われるように制御する。これによって、コンテンツを第１記録及び第２記録のうちユーザが希望する方で記録することが可能となる。
【００２２】
本発明に係る磁気記録媒体は、上述の磁気記録再生装置に含まれる磁気記録媒体であって、上記第１記録によって記録された第１の情報記録領域と、上記第２記録によって記録された第２の情報記録領域と、上記第１の情報記録領域に形成された、上記磁気再生素子にトラッキングを行わせるための第１のトラッキングパターンと上記第２の情報記録領域に形成された、上記磁気再生素子にトラッキングを行わせるための第２のトラッキングパターンとを備えている。そして、上記第１のトラッキングパターン及び上記第２のトラッキングパターンはそれぞれ、上記第１の情報記録領域及び上記第２の情報記録領域のトラックピッチと同じピッチで形成されている。
【００２３】
これによって、再生時において、第１記録に係るトラックと、これとはトラックピッチが異なる第２記録に係るトラックとを、より正確にトラッキングすることが可能となる。
【発明の効果】
【００２４】
本発明によると、磁気記録素子制御手段が第１記録と第２記録とを選択的に行うことができるので、書き換え時の実質的記録レートは比較的低くなっても高い記録密度で記録したい情報を第１記録で記録し、比較的低い記録密度となっても、書き換え時の実質的記録レートを高くしたい情報を第２記録で記録することが可能となる。よって、１つの磁気記録再生装置において、第１記録及び第２記録を使い分けることで、記録密度と書き換え時の実質的記録レートとを両立させることが可能となる。
【図面の簡単な説明】
【００２５】
【図１】本発明の第１実施形態に係る磁気記録媒体を模式的に示した図である。
【図２】本発明の第１実施形態に係る磁気記録媒体において、第１記録によって形成された複数の記録列を模式的に示した図である。
【図３】本発明の第１実施形態に係る磁気記録媒体において、第２記録によって形成された複数の記録列を模式的に示した図である。
【図４】図１に示す磁気記録媒体に対して記録再生を行う磁気記録再生装置の概略構成を示す図である。
【図５】図４に示す磁気記録再生装置の記録再生ヘッドの概略構成を示す図である。
【図６】本発明の第１実施形態の変形例に係る磁気記録媒体において、第２記録によって形成された複数の記録列を模式的に示した図である。
【図７】本発明の第２実施形態に係る磁気記録媒体に形成された複数の記録列及びトラッキングパターンを模式的に示した図である。
【図８】図７に示す複数の記録列の一部の拡大図である。
【図９（ａ）（ｂ）】従来例に係る磁気記録媒体に形成される複数の記録列を模式的に示した図である。
【図９（ｃ）（ｄ）】従来例に係る磁気記録媒体に形成される複数の記録列を模式的に示した図である。
【発明を実施するための形態】
【００２６】
＜第１実施形態＞
以下、本発明の第１実施形態について説明する。本実施形態の磁気記録再生装置４は、図４に示すように、サスペンション５と、スピンドル６と、ボイスコイルモータ７と、ランプ機構８と、記録再生ヘッド９と、サスペンション５、ボイスコイルモータ７及び記録再生ヘッド９を制御する制御部２０とを有している。また、図４では、磁気記録再生装置４は、円盤状の磁気記録媒体３を含んでいる。磁気記録媒体３の構造、磁気記録再生装置４による磁気記録媒体３の記録再生方法、及び制御部２０の詳細については、後に詳述する。
【００２７】
サスペンション５は、その一端側においてボイスコイルモータ７に固定されており、ボイスコイルモータ７とは反対側の端部に、磁気記録媒体３に対して磁界を印加する記録再生ヘッド９を有している。スピンドル６は、磁気記録再生装置４が磁気記録媒体３に情報の記録再生を行うときに、磁気記録媒体３を反時計周り（図４の矢印方向）に回転させるものである。なお、磁気記録媒体３の中心部にはスピンドル６と嵌合可能な孔が形成されている。ボイスコイルモータ７は、サスペンション５に取り付けられた記録再生ヘッド９が磁気記録媒体３上を磁気記録媒体３の半径方向（クロストラック方向）に移動するように、サスペンション５を移動させるものである。すなわち、記録再生ヘッド９は、ボイスコイルモータ７の作動に応じて、磁気記録媒体３の半径方向における位置を変更させることができる。ランプ機構８は、磁気記録媒体３に情報の記録再生を行わないときに、記録再生ヘッド９を退避させるためのものである。すなわち、情報の記録再生を行わないときには、ランプ機構８において記録再生ヘッド９が固定される。
【００２８】
なお、本発明の「移動機構」は、スピンドル６及びこれを回転させる図示しないモータ（周方向）と、サスペンション５（半径方向）と、ボイスコイルモータ７（半径方向）とで構成されている。
【００２９】
記録再生ヘッド９は、磁化情報の記録と再生を行うものである。具体的には、記録再生ヘッド９は、図５に示すように、磁気記録媒体３に近い面（すなわち、磁気記録媒体３と対向する面）に、垂直磁気記録媒体用の磁気記録素子１０と磁気再生素子１１とを有している。
【００３０】
磁気記録素子１０は、磁気記録媒体３に情報を記録するときに、この磁気記録媒体３に対して記録可能な強度の磁界を印加し、磁気記録媒体３の円周方向（トラック方向）に延びる記録列を形成するものである。これにより、例えば、磁気記録媒体３の磁化方向を決定することができる。磁気再生素子１１は、磁気記録媒体３からの漏洩磁界を検出して磁化パターンを読み出し、情報の再生を行うものである。なお、磁気記録素子１０と磁気再生素子１１との磁気記録媒体３から見た円周方向における位置関係は、記録再生ヘッド９が回転する磁気記録媒体３の任意の位置を通過するとき、この任意の位置上を磁気再生素子１１が先に通過し、磁気記録素子１０がその後に通過するような位置関係となっている。
【００３１】
以上のように、磁気記録再生装置４は、スピンドル６及びサスペンション５の動作と、記録再生ヘッド９による磁界の印加とを制御することにより、磁気記録媒体３の所定の位置に記録再生を行うことができる。そのために、磁気記録再生装置４は、サスペンション５、スピンドル６等の各種機能を制御するための所定の演算処理を行う制御部２０を有している。制御部２０は、例えばＣＰＵ（Central Processing Unit）等によって実現されている。図４に示すように、制御部２０は、サスペンション５及びボイスコイルモータ７を制御することによって所定のトラック（追従して記録再生を行うトラック）へのトラッキングを実現するトラック位置制御部２１と、記録再生ヘッド９を制御することによって所定のタイミングで磁気記録媒体３に対して情報の記録・再生を実現する記録再生ヘッド制御部２２とを有している。
【００３２】
次に、磁気記録再生装置４に備えられる磁気記録媒体３について説明する。本実施形態の磁気記録媒体３は、図１に示すように、磁気記録媒体３は第１領域２−１とこれよりも内周側にある第２領域２−２とに区分される。第１領域２−１及び第２領域２−２には、それぞれ、後述する第１記録及び第２記録が行われる。すなわち、本実施形態においては、コンテンツがどのような書き換え頻度又は属性を持っているかに関係なく、第１領域２−１には第１記録で、第２領域２−２には第２記録での記録が行われる。どのコンテンツをどちらの領域に記録するかはユーザによって決められてもよいし、コンテンツの属性などに関係なく且つ何ら振り分けのための基準を用いることなく、装置が自由に決めることもできる。また、後述する変形例のように、コンテンツの書き換え頻度又は属性を用いて振り分けを行ってもよい。すなわち、本発明において、第１記録及び第２記録のいずれを行うかの選択方法は、何ら限定されるものではない。変形例として、第１領域２−１及び第２領域２−２に、それぞれ、第２記録及び第１記録が行われてもよい。
【００３３】
本実施形態の磁気記録媒体３は、ガラス基板上に磁性層を形成した後、研磨により表面を平滑化し、潤滑剤を塗布することで作製される。磁気記録部を形成する材料（磁性層）としては、例えば、Ｃｏ、Ｐｔ、Ｆｅ、Ｎｉ、Ｃｒ、Ｍｎ又はこれらの金属からなる合金が挙げられる。また、上記合金としては、例えば、ＣｏＰｔ、ＳｍＣｏ、ＣｏＣｒ又はＴｂＦｅＣｏ合金を用いることができる。本実施形態では、磁気記録媒体３の片面にのみ磁気記録面が形成されているが、これに限らず、磁気記録媒体３の両面に磁気記録面が形成されていてもよい。この場合には、上記製造方法に示す工程が、磁気記録媒体３の両面に対して実施されればよい。なお、磁気記録媒体３の両面に形成される磁気記録面への潤滑剤の塗布については、同時に行うことも可能である。
【００３４】
続いて、制御部２０が行う制御について説明する。制御部２０は、上述のようにサスペンション５、ボイスコイルモータ７及び記録再生ヘッド９を制御し、磁気記録媒体３に対して図２に示すような複数の記録列を形成する。磁気記録媒体３の回転方向は、図２に示すように、紙面右から左（図４の矢印方向）となっているため、記録列の形成は、紙面左側から右方に向けて順に行われる。なお、磁気記録媒体３は、例えば媒体面内方向に対して垂直方向に磁化されることで、情報が記録されるタイプの媒体である。本実施形態では、図２（第２領域２−２）及び図３（第１領域２−１）に示すように、紙面手前から奥に向かう磁化パターン１−１（極性プラス）を黒色で図示し、紙面奥から手前に向かう磁化パターン１−２（極性マイナス）を白色で図示する。以下、極性の区別が必要でない場合は、単純に磁化パターン１と記載する。
【００３５】
制御部２０は、図２及び図３に示すように、磁気記録媒体３に対して、磁気記録媒体３の円周方向に延びる複数の記録列（第ｎ番目の記録列の、内周側及び外周側の端の半径位置をそれぞれ、Ｒ（ｎ）ｉｎ及びＲ（ｎ）ｏｕｔとした場合に、Ｒ（ｎ）ｏｕｔ−Ｒ（ｎ）ｉｎの幅を有している）を磁気記録媒体３の半径方向の一方側（図中下方）から他方側（図中上方）に向けて順に形成されるような制御を行う。磁気記録媒体３上に形成された複数の記録列は、半径方向に関して互いに隣接する記録列同士が半径方向に部分的に重複するように形成されている。すなわち、形成された各記録列は、その幅方向（半径方向）の一部の磁化パターンが直後に形成された記録列によって上書きされる。これにより、図２（ａ）に示すように、第２領域２−２において、図中下方から上方に向けて順にトラックＴｒ１、Ｔｒ２、Ｔｒ３、…が形成され、図３（ａ）に示すように、第１領域２−１において、図中下方から上方に向けて順にトラックＴｒ６、Ｔｒ７、Ｔｒ８、…が形成される。なお、図２及び図３の各図において、各トラックの境界線と各トラックの中心線とを、点線と一点鎖線でそれぞれ示している。
【００３６】
制御部２０で行われる処理手順、特に記録方法について説明する。
【００３７】
本実施形態の磁気記録再生装置４において、ｎ番目（ｎ＝１から最大Ｎまでの任意の自然数）の記録列を磁気記録媒体３に形成するとき、サスペンション５、ボイスコイルモータ７及び記録再生ヘッド９を制御する制御部２０は、ｎ番目の記録列を形成する際に、直前に形成されるｎ−１番目の記録列と半径方向に部分的に重複するように制御する。
【００３８】
磁気記録素子制御手段としての制御部２０は、第２領域２−２において半径方向に複数の記録列が一定の間隔で形成されるように制御を行う。より詳細には、制御部２０は、第ｎ番目のトラックを形成するための第ｎ番目の記録列の、内周側及び外周側の端の半径位置をそれぞれ、Ｒ（ｎ）ｉｎ及びＲ（ｎ）ｏｕｔとし、第ｎ番目の記録列の内周側及び外周側に隣接する記録列をそれぞれ、第ｎ−１番目の記録列及び第ｎ＋１番目の記録列とすると、
Ｒ（ｎ−１）ｉｎ＜Ｒ（ｎ）ｉｎ＜Ｒ（ｎ−１）ｏｕｔ＜Ｒ（ｎ＋１）ｉｎ＜Ｒ（ｎ）ｏｕｔ＜Ｒ（ｎ＋１）ｏｕｔ      （Ａ）
となるように制御を行う。このようにすることで、いかなる状態においても、少なくともＲ（ｎ−１）ｏｕｔからＲ（ｎ＋１）ｉｎの半径範囲は、他のいずれの記録列とも重複しない非重複部となり、この非重複部に第ｎ番目の情報が残る。
【００３９】
以下、図２（ａ）及び（ｂ）を用いて、さらに詳しく説明する。磁気情報が記録されていない領域に記録を行う場合は、第１番目のトラックを形成するための第１番目の記録列から形成し、第２番目の記録列、第３番目の記録列、…と順に式（Ａ）にしたがって複数の記録列を形成する。よって、Ｒ（３）ｏｕｔからＲ（５）ｉｎの半径範囲は、他のいずれの記録列とも重複しない非重複部となり、この非重複部に第４番目のトラックＴｒ４の情報が残ることになる。ここで、仮に、Ｒ（３）ｏｕｔ≧Ｒ（５）ｉｎである場合、第３番目のトラックＴｒ３を形成するための記録列のみ書き換える際、第４番目のトラックＴｒ４の情報は保持されず、第３番目のトラックＴｒ３を形成するための記録列の記録情報がトラックＴｒ４に上書きされた状態となる。結果、第４番目のトラックＴｒ４に相当する半径位置で、第３番目のトラックＴｒ３を形成するための記録列の情報を再生してしまい、再生エラーが生じてしまう。記録列がＰＬＬ（Phase Locked Loop）引き込み用のパターンを含む場合、ＰＬＬ引き込み用のパターンの再生エラーによって、誤ったクロック生成等、ＰＬＬ引き込みエラーを生じてしまう。よって、このような再生エラーを防止するにために、第４番目のトラックＴｒ４を形成するための記録列を上書きしなければならず、同様にして、第５番目以降の記録列を上書きしなければならない。
【００４０】
しかしながら、本実施形態においては、
Ｒ（４）ｉｎ＜Ｒ（３）ｏｕｔ＜Ｒ（５）ｉｎ＜Ｒ（４）ｏｕｔ
となっているため、第４番目のトラックＴｒ４の情報は、幅Ｗ（Ｔｒ４）を有するＲ（３）ｏｕｔからＲ（５）ｉｎの半径範囲で保持され、第５番目以降の記録列の上書きを行わなくてもよい。このため、書き換え時に要するトータルでの記録時間が短縮され、実質的記録レート低下を防止することができる。
【００４１】
なお、各記録列の半径方向への幅が等しい場合は、
Ｒ（ｎ−１）ｏｕｔ＜Ｒ（ｎ）ｏｕｔであれば、Ｒ（ｎ−１）ｉｎ＜Ｒ（ｎ）ｉｎであり、また、
Ｒ（ｎ）ｉｎ＜Ｒ（ｎ＋１）ｉｎであれば、Ｒ（ｎ）ｏｕｔ＜Ｒ（ｎ＋１）ｏｕｔであるため、式（Ａ）は、単純に、
Ｒ（ｎ）ｉｎ＜Ｒ（ｎ−１）ｏｕｔ＜Ｒ（ｎ＋１）ｉｎ＜Ｒ（ｎ）ｏｕｔ      （Ｂ）
と表現することも可能である。
【００４２】
同様に、各記録列の半径方向への幅が等しく、トラックピッチが一様である場合、式（Ａ）は、トラックピッチＷＴｒ（例えば、Ｒ（ｎ）ｉｎ−Ｒ（ｎ−１）ｉｎ）及び磁気記録素子が形成する磁気パターンの半径方向への幅ＷＷ（例えば、Ｒ（ｎ）ｏｕｔ−Ｒ（ｎ）ｉｎ）を用いて、
ＷＷ／２＜ＷＴｒ＜ＷＷ        （Ｃ）
と表現することもできる。
【００４３】
本実施形態では、第２領域２−２において式（Ａ）を満たしているため、第ｎ番目の記録列の情報が、Ｒ（ｎ−１）ｏｕｔからＲ（ｎ＋１）ｉｎの半径範囲で保持される。したがって、磁気記録媒体の情報が記録されていない領域において、記録列は必ずしも内周から外周に向かう方向又はその逆方向に記録されなくてもよい。すなわち、記録列がランダムな順番で形成されるような制御を行うことも可能である。
【００４４】
このように、他のいずれの記録列とも重複しない非重複部が存在するように制御することで、非重複部に記録された情報は、他のいずれの記録列を書き換えた後も、少なくとも非重複部において、書き換えられずに保持されるため、書き換えた記録列以外の記録列を上書きする必要はない。このため、後述する第１領域２−１における第１記録と比較して、若干トラック密度が低く、記録密度も低くなるが、第１領域２−１よりも、書き換え時の実質的記録レートを高くすることが可能となる。
【００４５】
一方、磁気記録素子制御手段としての制御部２０は、第１領域２−１において、半径方向に複数の記録列が一定の間隔で形成（シーケンシャル記録）されるように制御を行う。より詳細には、制御部２０は、第ｍ番目のトラックを形成するための第ｍ番目の記録列の、内周側及び外周側の端の半径位置をそれぞれ、Ｒ（ｍ）ｉｎ及びＲ（ｍ）ｏｕｔとし、第ｍ番目の記録列の内周側及び外周側に隣接する記録列をそれぞれ、第ｍ−１番目の記録列及び第ｍ＋１番目の記録列とすると、
Ｒ（ｍ−１）ｉｎ＜Ｒ（ｍ）ｉｎ＜Ｒ（ｍ＋１）ｉｎ＜Ｒ（ｍ−１）ｏｕｔ＜Ｒ（ｍ）ｏｕｔ＜Ｒ（ｍ＋１）ｏｕｔ                （Ｄ）
となるように制御を行う。このようにすることで、第２領域２−２における第２記録と比べて、書き換え時の実質的記録レートは低下するが、より高いトラック密度で記録を行うことができる。
【００４６】
以下、図３（ａ）〜（ｃ）を用いて、さらに詳しく説明する。磁気情報が記録されていない領域に記録を行う場合は、第１番目のトラックを形成するための第１番目の記録列から形成し、第２番目の記録列、第３番目の記録列、…と順に式（Ｄ）にしたがって複数の記録列を形成する。よって、Ｒ（８）ｏｕｔ≧Ｒ（１０）ｉｎであるため、第８番目のトラックＴｒ８を形成するための記録列のみ書き換える際、第９番目のトラックＴｒ９の情報は保持されず、第８番目のトラックＴｒ８を形成するための記録列の記録情報がトラックＴｒ９に上書きされた状態となる。結果、第９番目のトラックＴｒ９に相当する半径位置で、第８番目のトラックＴｒ８を形成するための記録列の情報を再生してしまい、再生エラーが生じてしまう。よって、このような再生エラーを防止するにために、第９番目のトラックＴｒ９を形成するための記録列を上書きしなければならず、同様にして、第１０番目のトラックＴｒ１０を形成するための記録列及びそれ以降の記録列を上書きすることで、書き換えが完了することになる。結果的に、書き換え時において実質的記録レートが低下してしまうが、Ｒ（８）ｏｕｔ≧Ｒ（１０）ｉｎとなっている分、第２領域２−２における第２記録よりも高いトラック密度で記録することが可能であり、高密度の記録を行うことが可能である。
【００４７】
なお、各記録列の半径方向への幅が等しい場合は、
Ｒ（ｍ−１）ｏｕｔ＜Ｒ（ｍ）ｏｕｔであれば、Ｒ（ｍ−１）ｉｎ＜Ｒ（ｍ）ｉｎであり、また
Ｒ（ｍ）ｉｎ＜Ｒ（ｍ＋１）ｉｎであれば、Ｒ（ｍ）ｏｕｔ＜Ｒ（ｍ＋１）ｏｕｔであるため、式（Ｄ）は、単純に、
Ｒ（ｍ）ｉｎ＜Ｒ（ｍ＋１）ｉｎ＜Ｒ（ｍ−１）ｏｕｔ＜Ｒ（ｍ）ｏｕｔ
と表現することも可能である。
【００４８】
同様に、各記録列の半径方向への幅が等しく、トラックピッチが一様である場合、式（Ｄ）は、トラックピッチＷＴｒ（例えば、Ｒ（ｍ）ｉｎ−Ｒ（ｍ−１）ｉｎ）及び磁気記録素子が形成する磁気パターンの半径方向への幅ＷＷ（例えば、Ｒ（ｍ）ｏｕｔ−Ｒ（ｍ）ｉｎ）を用いて、
ＷＴｒ＜ＷＷ／２        （Ｅ）
と表現することもできる。
【００４９】
なお、本実施形態では、第２記録において磁気再生素子１１の半径方向における幅（センシング領域の幅）（センシング領域の幅）をＷｒとすると、
｛Ｒ（ｍ＋１）ｉｎ−Ｒ（ｍ−１）ｏｕｔ｝＞Ｗｒ／２      （Ｆ）
を満たしている。
【００５０】
式（Ｆ）を満たさない場合、第（ｍ−１）番目のトラックＴｒ（ｍ−１）を書き換えた後に、第ｍ番目のトラックＴｒ（ｍ）の再生を行う際、トラックＴｒ（ｍ）の情報が保持されている領域の半径方向への幅は、磁気再生素子１１の幅Ｗｒの半分未満となり、いかにトラッキングを行おうとも、検出する漏れ磁界の半分以上は隣接トラックからのトラック間クロストーク等の成分となって、これは再生を行うトラックよりも大きくなる虞が大きい。
【００５１】
一方、式（Ｆ）を満たす場合、第（ｍ−１）番目のトラックＴｒ（ｍ−１）を書き換えた後に、第ｍ番目のトラックＴｒ（ｍ）の再生を行う際、トラックＴｒ（ｍ）の情報が保持されている領域の半径方向への幅は、磁気再生素子１１の幅Ｗｒの半分より広くなる。このため、再生すべきトラックに対して磁気再生素子１１がトラッキングされることで、漏れ磁界の隣接トラックからのトラック間クロストーク等の成分は、再生を行うトラックよりも小さくなり、再生エラーが生じにくくなる。
【００５２】
このようにすることで、隣接する内周側及び外周側のトラックからの信号よりも、再生を行うトラックからの信号が強く検出されることになり、再生エラーを生じ難くすることが可能となる。
【００５３】
上述したように、本実施形態に係る磁気記録再生装置４では、制御部２０が第１記録と第２記録とを選択的に行わせることができるので、書き換え時の実質的記録レートは比較的低くても、高い記録密度で記録したい情報は第１領域２−１に第１記録し、比較的低い記録密度であっても、書き換え時の実質的記録レートを高くしたい情報は第２領域２−２に第２記録することが可能となる。よって、１つの磁気記録再生装置において、上述した２つの記録方式を使い分けることで、記録密度と書き換え時の実質的記録レートを両立させることが可能となる。
【００５４】
なお、本実施形態のように、必ずしも、予め第１領域及び第２領域を分けて設けておく必要はなく、どのような制御（トラックピッチ）によって形成された記録列であるかを、記録した領域やアドレスに関連付けて、磁気記録再生装置が記憶しておくことでも、本実施形態と同様の効果を奏する。このようにすることで、記録した領域やアドレスを参照することで、どのような制御（トラックピッチ）によって形成された記録列であるかを判別し、所定の書き換え動作を行うことができる。
【００５５】
一変形例として、制御部２０は、書き換え頻度に対する閾値を記憶する閾値記憶部（図示せず）と、上記閾値よりも書き換え頻度が高いコンテンツと、上記閾値よりも書き換え頻度が低いコンテンツとを識別するコンテンツ識別部（図示せず）とを有していてもよい。かかる閾値は、ユーザによって決定されたものであってよい。この場合、制御部２０は、第１領域２−１に上記閾値よりも書き換え頻度が低いコンテンツが記録され、第２領域２−２に上記閾値よりも書き換え頻度が高いコンテンツが記録されるように制御する。このようにすることで、書き換え頻度に応じて、第１領域２−１及び第２領域２−２を使い分けることができ、記録密度と書き換え時の実質的記録レートを両立させることが可能となる。書き換え頻度に関する値は、コンテンツに記録されていてもよく、新たなコンテンツを記録する際に、ユーザがコンテンツ又は磁気記録再生装置４に記入してもよい。閾値が、例えば、１回／日の場合、コンテンツに記録された書き換え頻度もしくはユーザが記入した書き換え頻度が、１回／日よりも大きい場合は当該コンテンツが第２領域２−２に記録され、１回／日よりも小さいときは当該コンテンツが第１領域２−１に記録される。
【００５６】
また、磁気記録再生装置４は、各コンテンツの書き換えを行った日時の履歴を記録しておき、当初、第２領域２−２に記録していたコンテンツの書き換え頻度が、所定の書き換え頻度に対する閾値を下回った場合には、当該コンテンツを第１領域２−１に保存し直す（ムーブ）動作を行ってもよい。一方、当初、第１領域２−１に記録していたコンテンツの書き換え頻度が、所定の書き換え頻度に対する閾値を上回った場合には、当該コンテンツを第２領域２−２に保存し直す（ムーブ）動作を行ってもよい。このようにすることで、コンテンツの書き換え頻度が変化する場合であっても、ユーザの書き換え頻度を反映して、記録密度と書き換え時の実質的記録レートを両立させることが可能となる。
【００５７】
別の変形例として、制御部２０は、コンテンツの持つ属性に基づいて、コンテンツが第１類及び第１類よりも書き換え頻度が高いことが想定される第２類のいずれかに属するかを識別するコンテンツ識別部（図示せず）を有していてもよい。コンテンツ識別部は、各コンテンツが第１類及び第２類のいずれに属するかの基準を記憶しており、その基準に基づいて上記識別を行う。かかる基準は、ユーザによって決定されたものであってよい。制御部は、第１類に属するコンテンツが第１領域２−１に第１記録され、第２類に属するコンテンツが第２領域２−２に第２記録されるように制御する。このようにすることで、コンテンツの持つ属性（コンテンツの種別など）に応じて、第１領域２−１及び第２領域２−２を使い分けることで、記録密度と書き換え時の実質的記録レートを両立させることが可能となる。
【００５８】
ここで、第１類に属するコンテンツ（書き換え頻度が低いことが想定されるコンテンツ）とは、例えば、オペレーションソフト（ＯＳ）やアップデートがあまり行われないアプリケーションソフト等である。第２類に属するコンテンツ（書き換え頻度が高いことが想定されるコンテンツ）とは、例えば、ユーザが作成するドキュメントファイルや、アップデートが頻繁に行われるアプリケーションソフト等である。また、例えばパーソナルコンピュータ（ＰＣ）においてハードディスクドライブ（ＨＤＤ）のデフラグを行う際に、異なるアドレス位置に書き換えられないコンテンツを、第１領域２−１に、第２領域２−２よりも高密度で記録し、その他のコンテンツを、第２領域２−２に、第１領域２−１よりも高い書き換え時の実質的記録レートとなるようなトラックピッチにて記録してもよい。このようにすることで、記録密度と書き換え時の実質的記録レートを両立させることが可能となる。
【００５９】
また、コンテンツ識別部は、以下のような基準でコンテンツが第１類及び第２類のいずれに属するかを識別してもよい。
・コンテンツの拡張子で識別する。この場合、コンテンツ識別部は、各識別子と第１類又は第２類とを関連付けて記憶している。
（「〜．ｄｏｃ」、「〜．ｄｌｌ」、「〜．ｉｎｉ」「〜．ｅｘｅ」等）
・インストールプログラムによって保存されるコンテンツを第１類、、それ以外のコンテンツを第２類と識別する。
・コンテンツの容量が予め設定された閾値以上の容量であれば第１類、上記閾値未満の容量であれば第２類と識別する。
・コンテンツのプロパティ情報の任意の項目（例えば最新の更新日時）に関する基準（日時の基準時、圧縮の有無、圧縮率、作成者名など）によって識別する。
・シーケンシャル記録を行うコンテンツ（例えばＡＶコンテンツ）を第１類、ランダム記録を行うコンテンツを第２類と識別する。
【００６０】
さらに別の変形例に係る磁気記録再生装置は、第１記録及び第２記録のいずれの記録方式によってコンテンツを記録するかを、ユーザに選択させるための入力装置（キーボード、マウス、ボタン、タッチパネルなど）を含んでいてもよい。この場合、制御部２０は、入力装置を介してユーザに選択された記録方式でコンテンツの記録が行われるように制御を行う。このようにすることで、ユーザの選択に応じて、第１記録及び第２記録を使い分けることができ、記録密度と書き換え時の実質的記録レートを両立させることが可能となる。例えば、ダウンロードした音楽データや画像データは書き換え頻度が低いコンテンツとユーザが判断した場合、当該コンテンツを第１記録で記録し、プレゼンテーション用ファイルや家計簿は書き換え頻度が高いコンテンツであるとユーザが判断した場合、第２記録で記録することができる。なお、コンテンツを第１記録及び第２記録のいずれで記録するかをユーザに選択させるに当たっては、記録を行う前に例えば映像出力装置（図示せず）等に記録方式選択メニューを表示させてもよい。
【００６１】
さらに別の変形例として、磁気記録再生装置４は、ユーザの判断に基づいて、第１領域２−１と第２領域２−２との記録容量の比を決定してもよい。ユーザが、記録容量に一定の余裕があり、第２領域２−２を大きくすると判断した場合は、比較的、第２領域２−２を大きく割り当てることができる。一方、記録容量に一定の余裕がなくなり、第１領域２−１を大きくすると判断した場合は、比較的、第１領域２−１を大きく割り当てることができる。
【００６２】
＜変形例＞
図６は、上記実施形態１の変形例である。本変形例においては、２本の隣接するトラック（例えば、トラックＴｒ１１とＴｒ１２）を１組として、Ｒ（１２）ｉｎからＲ（１１）ｏｕｔまでの半径範囲が、トラックＴｒ１１及びＴｒ１２を形成するための２つの記録列の重複部となっている。また、Ｒ（１１）ｉｎからＲ（１２）ｉｎまでの半径範囲及びＲ（１１）ｏｕｔからＲ（１２）ｏｕｔまでの半径範囲がそれぞれ、トラックＴｒ１１及びＴｒ１２を形成するための記録列の非重複部となっている。同様にして、トラックＴｒ１３とＴｒ１４も形成されており、Ｒ（１２）ｏｕｔ≦Ｒ（１３）ｉｎ（図６（ａ）では、Ｒ（１２）ｏｕｔ＝Ｒ（１３）ｉｎ）となっている。本変形例において、例えばトラックＴｒ１４の幅Ｗ（Ｔｒ１４）は、Ｒ（１４）ｏｕｔ−Ｒ（１３）ｏｕｔである（図６（ｂ）参照）。
【００６３】
このように、記録列のそれぞれに、半径方向において、互いに隣接する記録列のいずれかと部分的に重複する重複部と、半径方向において、他のいずれの記録列とも重複しない非重複部とが形成されるように、記録列を形成することで、他のいずれの記録列とも重複しない非重複部（Ｒ（１１）ｉｎからＲ（１２）ｉｎまでの半径範囲、Ｒ（１３）ｏｕｔからＲ（１２）ｏｕｔまでの半径範囲、Ｒ（１３）ｉｎからＲ（１４）ｉｎまでの半径範囲、Ｒ（１３）ｏｕｔからＲ（１４）ｏｕｔまでの半径範囲）に記録された情報は、他のいずれの記録列を書き換えた後も、書き換えられずに情報が保持される。例えば、図６（ａ）に示す状態から第１３番目のトラックＴｒ１３を形成するための記録列のみ書き換えた場合（Ｔｒ１３´）、図６（ｂ）に示すように、当該記録列によって他のトラックが書き換えられることがない。したがって、書き換えた記録列以外の記録列を上書きする必要がなくなる。なお、本変形例でも、第１領域２−１においては、上記実施形態１と同様の記録を行う。
【００６４】
このように、第１領域２−１及び第２領域２−２において互いに異なる方式で記録を行うことができるため、書き換え時の実質的記録レートは比較的低くなっても高い記録密度で記録したい情報は第１領域２−１に第１記録を行い、比較的低い記録密度でとなっても書き換え時の実質的記録レートを高くしたい情報を第２領域２−２に第２記録を行うことが可能となる。よって、１つの磁気記録再生装置において、上述した２つの記録方式を使い分けることで、記録密度と書き換え時の実質的記録レートを両立させることが可能となる。
【００６５】
＜第２実施形態＞
次に、本発明の第２実施形態について説明する。なお、第１実施形態と共通する各部位には同じ符号を付し、詳細な説明を省略する。
【００６６】
図７は、本実施形態における磁気記録媒体３の概略図であり、図８は、図７の一部を拡大し、一部を省略した詳細図である。磁気記録媒体３には、第１領域２−１（図７（ｂ）及び図８（ｂ））及び第２領域２−２（図７（ａ）及び図８（ａ））が形成され、それぞれ、第１記録及び第２記録により記録が行われる。また、図７及び８に示すように、磁気記録媒体３には、第１領域２−１及び第２領域２−２それぞれに対応した、トラッキングパターン１３（バーストパターン）及びトラッキングパターン１２（バーストパターン）が形成されている。トラッキングパターン１２及び１３は、磁気記録媒体３上の各トラックへのトラッキングサーボ制御を行うための磁化パターンであり、磁気記録再生装置４の製造時に、例えば、サーボトラックライタ（ＳＴＷ）により形成されたものである。磁気記録再生装置４に組み込む前の磁気記録媒体３を、ＳＴＷ用の磁気記録ヘッドを備えたＳＴＷにセットし、磁気記録媒体３を回転させながら磁界を印加することで、磁気記録媒体３に、所定の磁気的なトラッキングパターン１２及び１３が形成される。なお、トラッキングパターン１２及び１３の形成方法は、上記限られるものではなく、例えば、予め磁気的にサーボ情報を記録したマスタとなる媒体を用いた磁気転写（スタンピング方式）によって、トラッキングパターン１２及び１３を形成することもできる。また、トラッキングパターン１２及び１３は、後述するように磁気記録媒体３上に形成される複数の記録列のそれぞれに対して形成されており、磁気再生素子１１によって再生可能に記録されている。なお、図８に示すとおり、トラッキングパターン１２及び１３は、複数の小パターン（例えば、１２−１〜１２−３及び１３−１〜１３−３）の集合である。
【００６７】
（記録方法）
磁気記録素子制御手段としての制御部２０は、第２領域において、半径方向において複数の記録列が一定の間隔で形成されるように制御を行う。より詳細には、制御部２０は、第ｎ番目のトラックを形成するための第ｎ番目の記録列の、内周側及び外周側の端の半径位置をそれぞれ、Ｒ（ｎ）ｉｎ及びＲ（ｎ）ｏｕｔとし、第ｎ番目の記録列の内周側及び外周側に隣接する記録列をそれぞれ、第ｎ−１番目の記録列及び第ｎ＋１番目の記録列とすると、式（Ａ）が成り立つように制御を行う。このようにすることで、いかなる状態においても、少なくともＲ（ｎ−１）ｏｕｔからＲ（ｎ＋１）ｉｎの半径範囲に第ｎ番目の情報が残る。
【００６８】
磁気情報が記録されていない領域に記録を行う場合は、第１番目のトラックを形成するための第１番目の記録列から形成し、第２番目の記録列、第３番目の記録列、…と順に式（Ａ）にしたがって複数の記録列を形成する。つまり、図７（ａ）に示す通り、第２番目、第３番目及び第４番目のトラックをそれぞれトラックＴｒ１６、トラックＴｒ１７及びトラックＴｒ１８とすると、上記実施形態１と同様に、
Ｒ（１７）ｉｎ＜Ｒ（１６）ｏｕｔ＜Ｒ（１８）ｉｎ＜Ｒ（１７）ｏｕｔ
となっているため、第３番目のトラックＴｒ１７の情報は、少なくともＲ（１６）ｏｕｔからＲ（１８）ｉｎの半径範囲で非重複部として保持されている。したがって、第３番目のトラックＴｒ１７を形成するための記録列のみ書き換えた際に、第４番目以降の記録列の上書きを行わなくてもよい。このため、書き換え時に要するトータルでの記録時間が短縮され、後述する第１領域よりも高い実質的記録レートを実現することができる。
【００６９】
一方、制御部２０は、第１領域において、半径方向において複数の記録列が一定の間隔で形成されるように制御を行う。より詳細には、制御部２０は、第ｍ番目のトラックを形成するための第ｍ番目の記録列の、内周側及び外周側の端の半径位置をそれぞれ、Ｒ（ｍ）ｉｎ及びＲ（ｍ）ｏｕｔとし、第ｍ番目の記録列の内周側及び外周側に隣接する記録列をそれぞれ、第ｍ−１番目の記録列及び第ｍ＋１番目の記録列とすると、式（Ｄ）が成り立つように制御を行う。
【００７０】
磁気情報が記録されていない領域に記録を行う場合は、第１番目のトラックを形成するための第１番目の記録列から形成し、第２番目の記録列、第３番目の記録列、…と順に式（Ｄ）にしたがって複数の記録列を形成する。つまり、図７（ｂ）に示す通り、第２番目、第３番目及び第４番目のトラックをそれぞれトラックＴｒ１９、トラックＴｒ２０及びトラックＴｒ２１とすると、上記実施形態１と同様に、
Ｒ（２０）ｉｎ＜Ｒ（２１）ｉｎ＜Ｒ（１９）ｏｕｔ＜Ｒ（２０）ｏｕｔ
となっている。このようにすることで、上記実施形態１と同様に、第２領域と比較すると書き換え時の実質的記録レートが低くなるが、高密度の記録が可能となる。
【００７１】
このように、本実施形態においても、制御部が第１記録と第２記録とを選択的に行わせることができるので、書き換え時の実質的記録レートは比較的低くても高い記録密度で記録したい情報を第１領域にて第１記録で記録し、比較的低い記録密度であっても書き換え時の実質的記録レートを高くしたい情報を第２領域にて第２記録で記録することが可能となる。よって、１つの磁気記録再生装置において、上述した２つの記録方式を使い分けることで、記録密度と書き換え時の実質的記録レートを両立させることが可能となる。
【００７２】
（再生方法）
磁気再生素子１１は、第２領域において、トラッキングパターン１２を検出することで、磁気記録媒体３に対する半径位置を検知し、所望のトラック（半径位置）に対してトラッキングを行いながら、情報の再生を行う。上述したように、第１記録の「トラック」は隣接する記録列と重複した結果として最終的に情報が保持されている（つまり、１つの記録列のなかで他の記録列に被覆されていない）半径領域であり、第２記録の「トラック」は非重複部を意味している。そして、本実施形態では、トラッキングパターン１３（詳細には後述する小パターンであって、偶数番目のトラックか奇数番目のトラックかを判別するための後述する小パターンを除く）が第１記録のトラックピッチと同じピッチで形成されており、トラッキングパターン１２（詳細には後述する小パターンであって、偶数番目のトラックか奇数番目のトラックかを判別するための後述する小パターンを除く）が第２記録のトラックピッチと同じピッチで形成されている。これによって、再生時において、第１記録に係るトラックと、これとはトラックピッチが異なる第２記録に係るトラックとを、より正確にトラッキングすることが可能となっている。
【００７３】
小パターン１２−１の内周側の端及び小パターン１２−２の外周側の端は、ともにトラックＴｒ１７の中心、つまり、｛Ｒ（１６）ｏｕｔ＋Ｒ（１８）ｉｎ｝／２で表される半径位置に配置されている。このため、周方向において、小パターン１２−１が配置された位置で検出される信号振幅と、小パターン１２−２が配置された位置で検出される信号振幅とが等しくなるように、磁気再生素子１１の半径位置を制御することによって、磁気再生素子１１の半径方向における中心位置Ｐｒが、トラックＴｒ１７の中心、つまり、｛Ｒ（１６）ｏｕｔ＋Ｒ（１８）ｉｎ｝／２で表される半径位置となるように制御することができる。
【００７４】
なお、小パターン１２−３は偶数番目のトラックか奇数番目のトラックかを判別するためのパターンである。本実施形態においては、トラックＴｒ１７の再生に先立ち、小パターン１２−１及び小パターン１２−２の信号を連続的に検出した後に、一定の間隔（小パターン１つ分の間隔）をおいて小パターン１２−３の信号を検出することで、奇数番目のトラックであると判断される。例えばＴｒ１６、Ｔｒ１８の場合には、小パターン１２−１及び小パターン１２−２’、又は、小パターン１２−１’及び小パターン１２−２の信号を連続的に検出した後に、さらに連続して小パターン１２−３の信号を検出した後、一定の間隔（小パターン１つ分の間隔）で信号が検出されない場合は、偶数番目のトラックと判断される。
【００７５】
磁気再生素子１１の中心位置Ｐｒは、必ずしもトラックＴｒ１７の中心、つまり、｛Ｒ（１６）ｏｕｔ＋Ｒ（１８）ｉｎ｝／２で表される半径位置とする必要はなく、磁気再生素子１１の中心位置Ｐｒが、Ｒ（１６）ｏｕｔ＜Ｐｒ＜Ｒ（１８）ｉｎとなるように制御することで、トラックＴｒ１７が書き換えられた後の状態においても、隣接するトラックＴｒ１６やトラックＴｒ１８からの信号よりも、トラックＴｒ１７からの信号が強く検出されることになり、再生エラーを生じ難くすることが可能となる。
【００７６】
この場合、小パターン１２−１の内周側の端及び小パターン１２−２の外周側の端は、Ｒ（１６）ｏｕｔからＲ（１８）ｉｎの間の半径位置に配置されていればよい。このようにすることで、周方向において、小パターン１２−１が配置された位置で検出される信号振幅と、小パターン１２−２が配置された位置で検出される信号振幅とが等しくなるように、磁気再生素子１１の半径位置を制御することによって、磁気再生素子１１の半径方向における中心位置Ｐｒが、Ｒ（１６）ｏｕｔ＜Ｐｒ＜Ｒ（１８）ｉｎとなるように制御することができる。なお、信号高度やトラック間クロストーク、ノイズレベルに対応して、エラーレート等の再生信号品質を最適化するために、Ｒ（１６）ｏｕｔ＜Ｐｒ＜Ｒ（１８）ｉｎを満たす範囲で、電気的なオフセットをかけることで、小パターン１２−１及び小パターン１２−２から検出される信号振幅が等しくなる位置とはわずかに異なる半径位置で再生を行ってもよい。
【００７７】
同様に、磁気再生素子１１は、第１領域において、トラッキングパターン１３を検出することで、磁気記録媒体３に対する半径位置を検知し、所望のトラック（半径位置）に対してトラッキングを行いながら、情報の再生を行う。
【００７８】
小パターン１３−１’の外周側の端及び小パターン１３−２’の内周側の端は、ともにトラックＴｒ２０の中心、つまり、｛Ｒ（２１）ｉｎ＋Ｒ（２０）ｉｎ｝／２で表される半径位置に配置されている。このため、周方向において、小パターン１３−１’が配置された位置で検出される信号振幅と、小パターン１３−２’が配置された位置で検出される信号振幅とが等しくなるように、磁気再生素子１１の半径位置を制御することによって、磁気再生素子１１の半径方向における中心位置Ｐｒが、トラックＴｒ２０の中心、つまり、｛Ｒ（２１）ｉｎ＋Ｒ（２０）ｉｎ｝／２で表される半径位置となるように制御することができる。
【００７９】
なお、小パターン１３−３は偶数番目のトラックか奇数番目のトラックかを判別するためのパターンである。本実施形態においては、トラックＴｒ２０の再生に先立ち、小パターン１３−１’及び小パターン１３−２’の信号を連続的に検出した後に、一定の間隔（小パターン１つ分の間隔）をおいて小パターン１３−３の信号を検出することで、偶数番目のトラックであると判断される。例えばＴｒ１９、Ｔｒ２１の場合には、小パターン１３−１’及び小パターン１３−２、又は、小パターン１３−１及び小パターン１３−２’の信号を連続的に検出した後に、さらに連続して小パターン１３−３の信号を検出した後、一定の間隔（小パターン１つ分の間隔）で信号が検出されない場合は、奇数番目のトラックと判断される。
【００８０】
また、磁気再生素子１１の中心位置Ｐｒは、必ずしもトラックＴｒ２０の中心、つまり、｛Ｒ（２１）ｉｎ＋Ｒ（２０）ｉｎ｝／２で表される半径位置とする必要はなく、磁気再生素子１１の中心位置Ｐｒが、Ｒ（２０）ｉｎ＜Ｐｒ＜Ｒ（２１）ｉｎとなるように制御することで、隣接するトラックＴｒ１９やトラックＴｒ２１からの信号よりも、トラックＴｒ２０からの信号が強く検出されることになり、再生エラーを生じ難くすることが可能となる。
【００８１】
この場合、小パターン１３−１’の内周側の端及び小パターン１３−２’の外周側の端は、Ｒ（２１）ｉｎからＲ（２０）ｉｎの間の半径位置に配置されていればよい。このようにすることで、周方向において、小パターン１３−１’が配置された位置で検出される信号振幅と、小パターン１３−２’が配置された位置で検出される信号振幅とが等しくなるように、磁気再生素子１１の半径位置を制御することによって、磁気再生素子１１の半径方向における中心位置Ｐｒが、Ｒ（２０）ｉｎ＜Ｐｒ＜Ｒ（２１）ｉｎとなるように制御することができる。なお、上記第２領域と同様に、小パターン１３−１’及び小パターン１３−２’から検出される信号振幅が等しくなる位置とはわずかに異なる半径位置で再生を行ってもよい。
【００８２】
また、磁気再生素子１１が上記トラッキングパターン１２から検出する信号に基づいてトラッキングを行いながら、磁気記録素子１０が記録列を形成してもよい。再生を行うトラックの半径方向における中心位置と、形成する記録列の半径方向における中心位置が異なる場合、記録列を形成する際に、電気的なオフセットをかけることで、小パターン１２−１及び小パターン１２−２（または、小パターン１３−１’及び小パターン１３−２’）から検出される信号振幅が等しくなる位置とは異なる半径位置でトラッキングを行うことができる。このようにすることで、記録列を形成する際にも、各トラックの半径位置に対応したトラッキングパターン１２（または、トラッキングパターン１３）を利用してトラッキングを行うことができるため、再生時に対応したトラッキングパターンとは別に、さらに、記録列の形成時に対応したトラッキングパターンを設ける必要がないので、記録容量を減らすことなく記録エラーを低減させることができる。
【００８３】
このようにすることで、１つの磁気記録再生装置において、第１記録及び第２記録を選択的に行うことができ、記録密度と書き換え時の実質的記録レートを両立させることが可能となる。さらに、再生時において、互いにトラックピッチが異なる第１領域及び第２領域のトラックを、それぞれ領域のトラックピッチと同じピッチで形成されたトラッキングパターンを利用し、より正確にトラッキングすることが可能となり、再生エラーが生じ難い磁気記録再生装置を提供することができる。
【００８４】
〔光（熱）アシスト型の磁気記録再生装置への応用〕
本発明は、光（熱）アシスト型の磁気記録再生装置についても同様に提供することができる。この場合、磁気記録再生装置は、記録媒体を局所的に昇温させるための光（熱）源を備えており、記録媒体は、光（熱）により昇温されることによって、所望の大きさまで反転磁界が低下する磁気記録膜を備えた磁気記録媒体であればよい。
【産業上の利用可能性】
【００８５】
本発明に係る磁気記録再生装置は、Ｓｈｉｎｇｌｅ方式を採用した高密度の磁気記録再生装置及び磁気記録媒体に好適である。
【符号の説明】
【００８６】
１  磁化パターン
２−１  第１領域
２−２  第２領域
３  磁気記録媒体
４  磁気記録再生装置
５  サスペンション（移動機構）
６  スピンドル（移動機構）
７  ボイスコイルモータ（移動機構）
１０  磁気記録素子
１１  磁気再生素子
１２、１３  トラッキングパターン（バーストパターン）
２０  制御部（磁気記録素子制御手段）
【図１】
0005581285.tif 000002
【図２】
0005581285.tif 000003
【図３】
0005581285.tif 000004
【図４】
0005581285.tif 000005
【図５】
0005581285.tif 000006
【図６】
0005581285.tif 000007
【図７】
0005581285.tif 000008
【図８】
0005581285.tif 000009
【図９（ａ）（ｂ）】
0005581285.tif 000010
【図９（ｃ）（ｄ）】
0005581285.tif 000011